(57)【要約】【課題】エクステンション束の実質的な長さを減少させることなく自毛髪に取り付けることができ、しかも、取り付け時間を短縮することができるヘアーエクステンションを提供する。【解決手段】使用者の自毛髪に取り付けられるヘアーエクステンション１Ａであって、複数本の取付用毛髪が束ねられ、一端が接着剤４で固着された２以上のエクステンション束２と、エクステンション束２の一端同士を連結した紐部材３と、を備え、紐部材３が自毛髪に結び付けられることにより、自毛髪に固定されることを特徴とする。【選択図】図１
0003166833.tif 000002
【実用新案登録請求の範囲】
【請求項１】
使用者の自毛髪に取り付けられるヘアーエクステンションであって、
複数本の取付用毛髪が束ねられ、一端が接着剤で固着された２以上のエクステンション束と、
前記エクステンション束の前記一端同士を連結した紐部材と、
を備え、
前記紐部材が前記自毛髪に結び付けられることにより、前記自毛髪に固定されることを特徴とするヘアーエクステンション。
【請求項２】
前記接着剤は、互いに組成が異なる第１接着剤および第２接着剤を含み、
前記エクステンション束の前記一端は、前記第１接着剤が塗布された後に前記第２接着剤が塗布されていることを特徴とする請求項１に記載のヘアーエクステンション。
【請求項３】
前記第１接着剤は、ポリアミドエポキシ樹脂系の接着剤であり、
前記第２接着剤は、シアノアクリレート系の接着剤であることを特徴とする請求項２に記載のヘアーエクステンション。
【請求項４】
前記エクステンション束の前記一端は、先細り形状であることを特徴とする請求項１ないし３のいずれかに記載のヘアーエクステンション。
【請求項５】
前記エクステンション束は、前記取付用毛髪のキューティクルの向きを同一方向に揃えて束ねられたものであることを特徴とする請求項１ないし４のいずれかに記載のヘアーエクステンション。
【考案の詳細な説明】
【技術分野】
【０００１】
本考案は、使用者の自毛髪に取り付けられるヘアーエクステンションに関する。
【背景技術】
【０００２】
従来から、毛髪を長く見せたり、毛髪の色を変えたりするために、ヘアーエクステンションが用いられている。従来のヘアーエクステンションは、複数本の取付用毛髪からなるエクステンション束が使用者の自毛髪に巻き付けられた状態で熱融着されることにより、自毛髪にしっかりと固定される（例えば、特許文献１参照）。
【先行技術文献】
【特許文献】
【０００３】
【特許文献１】特開２００２−２０９２２号公報
【考案の概要】
【考案が解決しようとする課題】
【０００４】
しかしながら、従来のヘアーエクステンションは、エクステンション束が直接自毛髪に巻き付けられているので、巻き付けられた分だけエクステンション束の実質的な長さが減少してしまう。このため、従来のヘアーエクステンションでは、エクステンション束を構成する取付用毛髪の長さを、自毛髪に巻き付けられる分だけ長くしておく必要があった。
さらに、一般に、取付用毛髪は長さが長くなるほどコストが上昇するので、従来のヘアーエクステンションは、比較的高価なものになっていた。
【０００５】
また、複数のエクステンション束を自毛髪に取り付ける場合、従来のヘアーエクステンションでは、一度に１つのエクステンション束しか取り付けることができないので、取り付けに過大な時間がかかっていた。
【０００６】
本考案は上記事情に鑑みてなされたものであって、その課題とするところは、エクステンション束の実質的な長さを減少させることなく自毛髪に取り付けることができ、しかも、取り付け時間を短縮することができるヘアーエクステンションを提供することにある。
【課題を解決するための手段】
【０００７】
上記の課題を解決するために、本考案は、使用者の自毛髪に取り付けられるヘアーエクステンションであって、複数本の取付用毛髪が束ねられ、一端が接着剤で固着された２以上のエクステンション束と、エクステンション束の一端同士を連結した紐部材と、を備え、紐部材が自毛髪に結び付けられることにより、自毛髪に固定されることを特徴とする。
【０００８】
この構成によれば、紐部材が自毛髪に結び付けられることにより自毛髪に固定されるので、エクステンション束の実質的な長さを減少させることなく自毛髪に取り付けることができる。
【０００９】
さらに、この構成によれば、紐部材が自毛髪に結び付けられることにより２以上のエクステンション束が同時に自毛髪に固定されるので、取り付け時間を大幅に短縮することができる。
【００１０】
本考案に係るヘアーエクステンションにおいて、上記接着剤は、互いに組成が異なる第１接着剤および第２接着剤を含み、上記エクステンション束の一端は、第１接着剤が塗布された後に第２接着剤が塗布されていることが好ましい。
【００１１】
この構成によれば、エクステンション束の一端は、第１接着剤が塗布された後に第２接着剤が塗布されているので、１種類のみの接着剤が塗布されている場合に比べて、使用者が洗髪した際に付着する水やシャンプー剤等に対する耐久性を向上させることができるとともに、取付用毛髪同士および取付用毛髪と紐部材とを強固に固着させることができる。
【００１２】
本考案に係るヘアーエクステンションは、例えば、第１接着剤をポリアミドエポキシ樹脂系の接着剤とし、第２接着剤をシアノアクリレート系の接着剤とすることができる。
【００１３】
本考案に係るヘアーエクステンションにおいて、上記エクステンション束の一端は、先細り形状であることが好ましい。
【００１４】
この構成によれば、エクステンション束の一端が頭皮に接触することにより使用者が感じる不快感を低減させることができる。
【００１５】
本考案に係るヘアーエクステンションにおいて、上記エクステンション束は、取付用毛髪のキューティクルの向きを同一方向に揃えて束ねられたものであることが好ましい。
【００１６】
この構成によれば、取付用毛髪が絡まったり、傷んで見えたりするのを防ぐことができる。
【考案の効果】
【００１７】
本考案によれば、エクステンション束の実質的な長さを減少させることなく自毛髪に取り付けることができ、しかも、取り付け時間を短縮することができるヘアーエクステンションを提供することができる。
【図面の簡単な説明】
【００１８】
【図１】本考案の第１実施形態に係るヘアーエクステンションの平面図である。
【図２】本考案の第１実施形態に係るヘアーエクステンションの部分斜視図である。
【図３】本考案の第２実施形態に係るヘアーエクステンションの部分斜視図である。
【図４】本考案の第３実施形態に係るヘアーエクステンションの平面図である。
【図５】本考案の第４実施形態に係るヘアーエクステンションの平面図である。
【考案を実施するための形態】
【００１９】
以下、本考案の好ましい実施形態について図面を参照して説明する。
【００２０】
［第１実施形態］
まず始めに、本考案の第１実施形態に係るヘアーエクステンション１Ａについて説明する。
【００２１】
図１に示すように、本実施形態に係るヘアーエクステンション１Ａは、複数本の取付用毛髪が束ねられた２つのエクステンション束２と、エクステンション束２の一端同士を連結した紐部材３とを備えている。本実施形態に係るヘアーエクステンション１Ａは、紐部材３が自毛髪に結び付けられることにより自毛髪に固定される。
【００２２】
エクステンション束２は、長さ５０．０ｃｍの人毛からなる１００〜１５０本程度の取付用毛髪を、キューティクルの向きを同一方向に揃えた状態で束ねたものである。キューティクルの向きを同一方向に揃えることで、取付用毛髪が絡まったり、傷んで見えたりするのを防ぐことができる。
【００２３】
エクステンション束２の一端には、ポリアミドエポキシ樹脂系の接着剤（第１接着剤）およびシアノアクリレート系の接着剤（第２接着剤）からなる接着剤４が塗布されている。具体的には、ポリアミドエポキシ樹脂系の接着剤が塗布された後に、このポリアミドエポキシ樹脂系の接着剤の表面を覆うようにシアノアクリレート系の接着剤が塗布されている。
【００２４】
すなわち、ポリアミドエポキシ樹脂系の接着剤は、耐衝撃性および耐摩擦性に優れた特性を有するポリアミド成分と、固化する際に揮発性物質の生成や体積の収縮が起こりにくい等の特性を有し、しかも粘着性に優れたエポキシ樹脂成分とを含んでいるので、取付用毛髪同士および取付用毛髪と紐部材３とを固着させるための接着剤（メイングルー）として用いられている。
【００２５】
一方、シアノアクリレート系の接着剤は、医療向けの粘着剤としても使用されており、耐熱性および耐衝撃性を向上させることができるとともに、耐水性に優れているので、ポリアミドエポキシ樹脂系の接着剤を保護し、接着剤４の耐久性および耐水性を向上させるための接着剤（表面グルー）として用いられている。
【００２６】
また、ポリアミドエポキシ樹脂系の接着剤およびシアノアクリレート系の接着剤はともに無色透明であり、接着剤４の表面からエクステンション束２を構成する取付用毛髪が透けて見えている。
【００２７】
紐部材３は、エクステンション束２を構成する取付用毛髪と同色のアクリルファイバーおよび綿からなる長さ１０．０ｃｍの部材であり、エクステンション束２の一端同士を連結している。図２に示すように、紐部材３は、エクステンション束２の一端面２ａから２．０ｃｍ差し込まれた状態で、接着剤４により取付用毛髪に固着されている。なお、接着剤４は、エクステンション束２の一端面２ａから１．５ｃｍの範囲に塗布されている。
【００２８】
結局、本実施形態に係るヘアーエクステンション１Ａによれば、紐部材３が自毛髪に結び付けられることにより自毛髪に固定されるので、エクステンション束２の実質的な長さを減少させることなく自毛髪に取り付けることができる。このため、エクステンション束２の長さをあらかじめ長くしておく必要がなくなるので、エクステンション束２のコストを低減することができる。
【００２９】
また、本実施形態に係るヘアーエクステンション１Ａによれば、紐部材３が自毛髪に結び付けられることで、２つのエクステンション束２が同時に自毛髪に固定されるので、取り付け時間を短縮することができる。
【００３０】
さらに、本実施形態に係るヘアーエクステンション１Ａによれば、接着剤４としてポリアミドエポキシ樹脂系の接着剤とシアノアクリレート系の接着剤との２種類の接着剤が用いられ、ポリアミドエポキシ樹脂系の接着剤の表面を覆うようにシアノアクリレート系の接着剤が塗布されているので、１種類のみの接着剤が塗布されている場合と比べて、使用者が洗髪した際に付着する水やシャンプー剤に対する耐久性を向上させることができるとともに、エクステンション束２の一端において、取付用毛髪同士および取付用毛髪と紐部材３とを強固に固着させることができる。その結果、本実施形態に係るヘアーエクステンション１Ａによれば、長期間にわたって自毛髪に取り付けておくことができる。
【００３１】
［第２実施形態］
図３は、本考案の第２実施形態に係るヘアーエクステンション１Ｂを示す部分斜視図である。本実施形態に係るヘアーエクステンション１Ｂは、エクステンション束２の一端（接着剤４が塗布されている部分）が、一端面２ａに向けて先細り形状になっていること以外の点において、第１実施形態に係るヘアーエクステンション１Ａと共通している。
【００３２】
本実施形態に係るヘアーエクステンション１Ｂによれば、エクステンション束２の一端が先細り形状になっているので、エクステンション束２の一端面２ａにおける周縁部分が使用者の頭皮に接触しにくくなり、使用者が感じるチクチクとした不快感を低減させることができる。
【００３３】
［第３実施形態］
図４は、本考案の第３実施形態に係るヘアーエクステンション１Ｃを示す平面図である。本実施形態に係るヘアーエクステンション１Ｃは、３つのエクステンション束２１、２２、２３を備えていること、および紐部材３の替わりに紐部材３ｃを用いたこと以外の点において、第１実施形態に係るヘアーエクステンション１Ａと共通している。
【００３４】
同図に示すように、紐部材３ｃは、第１紐部材３１と第２紐部材３２とからなる。第１紐部材３１は、アクリルファイバーおよび綿からなる長さ１０．０ｃｍの部材であり、エクステンション束２１の一端とエクステンション束２３の一端とを連結している。第２紐部材３２は、アクリルファイバーおよび綿からなる長さ５．０ｃｍの部材であり、エクステンション束２２の一端と第１紐部材３１の中点とを連結している。
【００３５】
本実施形態に係るヘアーエクステンション１Ｃによれば、紐部材３ｃが自毛髪に結び付けられることにより３つのエクステンション束２１、２２、２３が同時に自毛髪に固定されるので、取り付け時間を大幅に短縮することができる。
【００３６】
［第４実施形態］
図５は、本考案の第４実施形態に係るヘアーエクステンション１Ｄ（１Ｄ’）を示す平面図である。本実施形態に係るヘアーエクステンション１Ｄ（１Ｄ’）は、第１実施形態に係るヘアーエクステンション１Ａが紐部材３の点ｄにおいて切り離されたものであり、エクステンション束２を１つだけ備えている。本実施形態に係るヘアーエクステンション１Ｄ（１Ｄ’）は、紐部材３ｄ（３ｄ’）が自毛髪に結び付けられることにより自毛髪に固定される。
【００３７】
本実施形態に係るヘアーエクステンション１Ｄ（１Ｄ’）によれば、紐部材３の切断箇所（本実施形態では点ｄ）によって紐部材３ｄ（３ｄ’）の長さを自由に調節することができるので、紐部材３ｄ（３ｄ’）の結び方や、エクステンション束２の取り付け位置の自由度を広げることができる。
【００３８】
以上、本考案の好ましい実施形態について説明してきたが、本考案はこれらの構成に限定されるものではない。
【００３９】
例えば、上記各実施形態では、接着剤４としてポリアミドエポキシ樹脂系の接着剤およびシアノアクリレート系の接着剤を用いたが、エクステンション束２（２１、２２、２３）の一端において最表面に露出する接着剤が耐水性の優れたものであれば、接着剤４の種類は任意に変更することができる。
【００４０】
また、上記各実施形態では、エクステンション束２（２１、２２、２３）を構成する取付用毛髪としてキューティクルがある人毛髪を用いたが、キューティクルを剥がした人毛髪やキューティクルがない人工毛髪を用いてもよいし、人毛髪と人工毛髪を組み合わせて用いてもよい。
【００４１】
また、エクステンション束２（２１、２２、２３）の数および長さや、紐部材３（３ｃ、３ｄ、３ｄ’）の長さは任意に変更することができる。
【００４２】
さらに、エクステンション束２（２１、２２、２３）、紐部材３（３ｃ、３ｄ、３ｄ’）および接着剤４の色は、好みに応じて変更することができる。なお、接着剤４の色は、接着剤４にカーボンブラック等の着色顔料を添加することにより容易に変更することができる。
【符号の説明】
【００４３】
１Ａ、１Ｂ、１Ｃ、１Ｄ、１Ｄ’    ヘアーエクステンション
２、２１、２２、２３    エクステンション束
３、３ｃ、３ｄ、３ｄ’    紐部材
３１    第１紐部材
３２    第２紐部材
４    接着剤
【図１】
0003166833.tif 000003
【図２】
0003166833.tif 000004
【図３】
0003166833.tif 000005
【図４】
0003166833.tif 000006
【図５】
0003166833.tif 000007